(57)【要約】【課題】容易に分解できる固定構造を提供する。【解決手段】ベース部材３０の取付部４７と中間保持部材３３の第１の固定部３３１とが接着固定されており、取付部４７と第１の固定部３３１とのうち、第１の固定部３３１に工具挿入用の切り欠き３３ａが設けられている。この切り欠き３３ａに先端がマイナスドライバー状の工具を差し込み、切り欠き３３ａを広げるように力を加えると、ベース部材３０の取付部４７と中間保持部材３３の第１の固定部３３１とを容易に分離することができる。【選択図】図４
2006135599.tif 000002
【特許請求の範囲】
【請求項１】
第１の部材と第２の部材とを中間保持部材を介して接着固定する固定構造において、
前記中間保持部材が、前記第１の部材に取り付けられる第１の固定部と、前記第２の部材に取り付けられる第２の固定部とを有し、そして、
前記第１の部材の前記中間保持部材が取り付けられる取付部と前記中間保持部材の前記第１の固定部とのうちの少なくとも一方に、前記第１の部材と前記中間保持部材とを分離させるための工具挿入用の切り欠きが、設けられていることを特徴とする固定構造。
【請求項２】
第１の部材と第２の部材とを中間保持部材を介して接着固定する固定構造において、
前記中間保持部材が、前記第１の部材に取り付けられる第１の固定部と、前記第２の部材に取り付けられる第２の固定部とを有し、そして、
前記第１の部材の前記中間保持部材が取り付けられる取付部と前記中間保持部材の前記第１の固定部とのうちの一方に、前記第１の部材と前記中間保持部材とを分離させるための工具挿入用の穴が、設けられていることを特徴とする固定構造。
【請求項３】
前記中間保持部材が、紫外線を透過させる材料で構成されているとともに、前記中間保持部材が、紫外線を照射すると硬化する光硬化型の接着剤で前記第１の部材に固定されていることを特徴とする請求項１または請求項２に記載の固定構造。
【請求項４】
原稿からの反射像を光電変換素子に結像させて光電変換させるレンズブロックにおいて、
請求項１から請求項３のうちいずれか一項に記載の固定構造が備えられていることを特徴とするレンズブロック。
【請求項５】
前記第１の部材が、前記光電変換素子に反射像を導くレンズ群を収容するレンズ鏡筒と前記光電変換素子を収容するパッケージとを取り付けるベース部材であり、そして、
前記第２の部材が、前記パッケージであることを特徴とする請求項４に記載のレンズブロック。
【請求項６】
前記第１の部材が、ヘッド保持部材であり、そして、前記第２の部材が、インクジェットヘッドであることを特徴とする請求項１から請求項３のうちいずれか一項に記載の固定構造。
【請求項７】
原稿からの反射像を光電変換素子によって読み取る画像読み取りユニットにおいて、
請求項４または請求項５に記載のレンズブロックが、備えられていることを特徴とする画像読み取りユニット。
【請求項８】
請求項７に記載の画像読み取りユニットが備えられていることを特徴とする画像形成装置。
【請求項９】
請求項６に記載の固定構造が備えられていることを特徴とする画像形成装置。
【請求項１０】
請求項１に記載の固定構造の前記第１の部材と前記第２の部材とを分離させる固定構造の分離方法において、
前記切り欠きに挿入されると前記第１の部材と前記第２の部材とが分離される工具を該切り欠きに挿入して、該切り欠きを広げるように前記第１の部材と前記中間保持部材とを該工具で押圧することにより、前記第１の部材と前記第２の部材とを分離させることを特徴とする分離方法。
【請求項１１】
請求項２に記載の固定構造の前記第１の部材と前記第２の部材とを分離させる固定構造の分離方法において、
前記第１の部材と前記中間保持部材とのうちの前記穴が設けられた一方の部材の移動を規制し、そして、前記穴に挿入されると前記第１の部材と前記第２の部材とが分離される工具を該穴内に挿入して、該工具で他方の部材を押圧することにより、前記第１の部材と前記第２の部材とを分離させることを特徴とする分離方法。
【請求項１２】
第１の部材に取り付けられる第１の固定部と、第２の部材に取り付けられる第２の固定部とを有した中間保持部材において、
前記第１の固定部に、前記第１の部材から分離するための工具挿入用の切り欠きが設けられていることを特徴とする中間保持部材。
【請求項１３】
第１の部材に取り付けられる第１の固定部と、第２の部材に取り付けられる第２の固定部とを有した中間保持部材において、
前記第１の固定部に、前記第１の部材から分離するための工具挿入用の穴が設けられていることを特徴とする中間保持部材。
【請求項１４】
紫外線を透過させる材料で構成されているとともに、紫外線を照射すると硬化する光硬化型の接着剤で前記第１の部材に固定されることを特徴とする請求項１２または請求項１３に記載の中間保持部材。
【発明の詳細な説明】
【技術分野】
【０００１】
本発明は、複写機、イメージスキャナ、ファクシミリ等の第１の部材と第２の部材とを固定する固定構造、それを有するレンズブロック、それを有する画像読み取りユニット、及びそれを有する画像形成装置、並びに、固定構造の分離方法、及び中間保持部材に関する。
【背景技術】
【０００２】
従来から、複写機、ファクシミリ、スキャナ装置等に使用される画像読み取りユニットは、ベース部材と、このベース部材に取り付けられる結像レンズ系と、ライン型光電変換素子及び該ライン型光電変換素子を収容するパッケージを有しかつベース部材に取り付けられるイメージセンサと、を備えている。画像読み取りユニットは、副走査方向に原稿の照明光源を移動させ、原稿からの反射光を二群以上のレンズからなる結像レンズ系に通してライン型光電変換素子に縮小結像させ、このライン型光電変換素子に結像された結像光束を光電変換して画像読み取り信号として出力するようになっている。
【０００３】
このような画像読み取りユニットでは、結像レンズ系より結像された像を光電変換素子上に位置させ、なおかつ光学特性（ピント、倍率）を所定の要求精度で読み取るために、結像レンズや光電変換素子を高精度に位置決め固定する必要がある。
【０００４】
この固定については、従来より、ねじによる固定が多く用いられてきたが、その位置ずれ量が３０μｍ以上と大きすぎることにより、数μｍレベルの位置決め精度が要求される光電変換素子の取り付けにおいては、ねじ式固定では不都合があった。
【０００５】
よって、上述した高精度の位置決めが要求される画像読み取りユニットなどの構造体においては、部材間の位置ずれ量を少なくするために、部材同士を接着剤で固定（例えば特許文献１を参照）してきた。
【特許文献１】特開２００１−３１３７７９号公報
【発明の開示】
【発明が解決しようとする課題】
【０００６】
しかしながら、部材同士を固定する際に用いられる接着剤は、一般的に、一旦硬化させると、再度液状又はゲル状化することが困難であった。このため、前述したように部材同士を接着剤で固定すると、一旦接着剤が硬化した後に、接着剤で固定した部材同士を取り外したり、再度取り付けたりすることが困難であった。
【０００７】
つまり、上述した画像読み取りユニットの例えば第１の部材としてのベース部材と、第２の部材としてのパッケージとの固定構造において、部材間の位置精度が不良である等の不良品を製造してしまった場合、部材同士がねじで固定されるのであれば、ドライバーを使って容易に取り外すことができる。しかし、部材同士が接着剤で固定されているのであれば、両者を分離させることができないので、ベース部材とパッケージとの双方を廃棄しなければならない。画像読み取りユニットにおいて、最も高価な部品は光電変換素子を有する回路基板であるが、この回路基板が正常な機能を有しているにもかかわらず、部材間の位置精度が不良であるためにこの回路基板をも廃棄しなければならない。これらはコスト高の原因になるだけでなく、省資源化の観点からも好ましくない。しかも部品のリサイクルコストが高騰する原因にもなっていた。
【０００８】
そこで、本発明は、二つの部材を容易に分離することができ、資源の有効利用及びリサイクルコストの低減に寄与することができる固定構造、それを有するレンズブロック、それを有する画像読み取りユニット、及びそれを有する画像形成装置、並びに、固定構造の分離方法、及び中間保持部材を提供することをその目的とする。
【課題を解決するための手段】
【０００９】
上記目的を達成するため、請求項１に記載の固定構造は、第１の部材と第２の部材とを中間保持部材を介して接着固定する固定構造において、前記中間保持部材が、前記第１の部材に取り付けられる第１の固定部と、前記第２の部材に取り付けられる第２の固定部とを有し、そして、前記第１の部材の前記中間保持部材が取り付けられる取付部と前記中間保持部材の前記第１の固定部とのうちの少なくとも一方に、前記第１の部材と前記中間保持部材とを分離させるための工具挿入用の切り欠きが、設けられていることを特徴としている。
【００１０】
請求項２に記載の固定構造は、第１の部材と第２の部材とを中間保持部材を介して接着固定する固定構造において、前記中間保持部材が、前記第１の部材に取り付けられる第１の固定部と、前記第２の部材に取り付けられる第２の固定部とを有し、そして、前記第１の部材の前記中間保持部材が取り付けられる取付部と前記中間保持部材の前記第１の固定部とのうちの一方に、前記第１の部材と前記中間保持部材とを分離させるための工具挿入用の穴が、設けられていることを特徴としている。
【００１１】
請求項３に記載の固定構造は、請求項１または請求項２に記載の固定構造において、前記中間保持部材が、紫外線を透過させる材料で構成されているとともに、前記中間保持部材が、紫外線を照射すると硬化する光硬化型の接着剤で前記第１の部材に固定されていることを特徴としている。
【００１２】
請求項４に記載のレンズブロックは、原稿からの反射像を光電変換素子に結像させて光電変換させるレンズブロックにおいて、請求項１から請求項３のうちいずれか一項に記載の固定構造が備えられていることを特徴としている。
【００１３】
請求項５に記載のレンズブロックは、請求項４に記載のレンズブロックにおいて、前記第１の部材が、前記光電変換素子に反射像を導くレンズ群を収容するレンズ鏡筒と前記光電変換素子を収容するパッケージとを取り付けるベース部材であり、そして、前記第２の部材が、前記パッケージであることを特徴としている。
【００１４】
請求項６に記載の固定構造は、請求項１から請求項３のうちいずれか一項に記載の固定構造において、前記第１の部材が、ヘッド保持部材であり、そして、前記第２の部材が、インクジェットヘッドであることを特徴としている。
【００１５】
請求項７に記載の画像読み取りユニットは、原稿からの反射像を光電変換素子によって読み取る画像読み取りユニットにおいて、請求項４または請求項５に記載のレンズブロックが備えられていることを特徴としている。
【００１６】
請求項８に記載の画像形成装置は、請求項７に記載の画像読み取りユニットが備えられていることを特徴としている。
【００１７】
請求項９に記載の画像形成装置は、請求項６に記載の固定構造が備えられていることを特徴としている。
【００１８】
請求項１０に記載の分離方法は、請求項１に記載の固定構造の前記第１の部材と前記第２の部材とを分離させる固定構造の分離方法において、前記切り欠きに挿入されると前記第１の部材と前記第２の部材とが分離される工具を該切り欠きに挿入して、該切り欠きを広げるように前記第１の部材と前記中間保持部材とを該工具で押圧することにより、前記第１の部材と前記第２の部材とを分離させることを特徴としている。
【００１９】
請求項１１に記載の分離方法は、請求項２に記載の固定構造の前記第１の部材と前記第２の部材とを分離させる固定構造の分離方法において、前記第１の部材と前記中間保持部材とのうちの前記穴が設けられた一方の部材の移動を規制し、そして、前記穴に挿入されると前記第１の部材と前記第２の部材とが分離される工具を該穴内に挿入して、該工具で他方の部材を押圧することにより、前記第１の部材と前記第２の部材とを分離させることを特徴としている。
【００２０】
請求項１２に記載の中間保持部材は、第１の部材に取り付けられる第１の固定部と、第２の部材に取り付けられる第２の固定部とを有した中間保持部材において、前記第１の固定部に、前記第１の部材から分離するための工具挿入用の切り欠きが設けられていることを特徴としている。
【００２１】
請求項１３に記載の中間保持部材は、第１の部材に取り付けられる第１の固定部と、第２の部材に取り付けられる第２の固定部とを有した中間保持部材において、前記第１の固定部に、前記第１の部材から分離するための工具挿入用の穴が設けられていることを特徴としている。
【００２２】
請求項１４に記載の中間保持部材は、請求項１２または請求項１３に記載の中間保持部材において、紫外線を透過させる材料で構成されているとともに、紫外線を照射すると硬化する光硬化型の接着剤で前記第１の部材に固定されることを特徴としている。
【発明の効果】
【００２３】
請求項１に記載の発明によれば、第１の部材の取付部と中間保持部材の第１の固定部とのうち少なくとも一方に切り欠きが設けられているので、前記切り欠きに工具を差し込み、前記切り欠きを広げるように力を加えるだけで、接着固定された部品同士を容易に分離することができる。
【００２４】
請求項２に記載の発明によれば、第１の部材の取付部と中間保持部材の第１の固定部とのうち一方に穴が設けられているので、前記穴に前記第１の部材と前記中間保持部材とを分離させるための棒状の工具を差し込み、工具を穴の奥に挿入するだけで、接着固定された部品同士を容易に分離することができる。
【００２５】
請求項３及び請求項１４に記載の発明によれば、前記中間保持部材が、紫外線を透過させる材料で構成されているとともに、前記中間保持部材が、紫外線を照射すると硬化する光硬化型の接着剤で前記第１の部材に固定されるので、接着箇所において中間保持部材の上から紫外線を照射することができ、作業性が向上する。
【００２６】
請求項４に記載の発明によれば、原稿からの反射像を光電変換素子に結像させて光電変換させるレンズブロックが、請求項１から請求項３のうちいずれか一項に記載した固定構造を備えているので、接着固定された部品同士を容易に分離できる固定構造を備えたレンズブロックを提供することができる。
【００２７】
請求項５に記載の発明によれば、前記第１の部材が、前記光電変換素子に反射像を導くレンズ群を収容するレンズ鏡筒と前記光電変換素子を収容するパッケージとを取り付けるベース部材であり、そして、前記第２の部材が、前記パッケージであるので、接着固定された部品同士を容易に分離できる固定構造を備えたレンズブロックを提供することができる。
【００２８】
請求項６に記載の発明によれば、前記第１の部材が、ヘッド保持部材であり、そして、前記第２の部材が、インクジェットヘッドであるので、接着固定された部品同士を容易に分離できる固定構造を備えたインクジェット方式の書込ユニットを提供することができる。
【００２９】
請求項７から請求項９に記載の発明によれば、部品同士を容易に分離できる固定構造を備えているので、部品を容易にリサイクルすることができる。
【００３０】
請求項１０に記載の発明によれば、切り欠き内に工具を挿入するので、接着固定された部品同士を容易に分離できる分離方法を提供することができる。
【００３１】
請求項１１に記載の発明によれば、穴内に工具を挿入するので、接着固定された部品同士を容易に分離できる分離方法を提供することができる。
【００３２】
請求項１２に記載の発明によれば、第１の部材に取り付けられる第１の固定部に、第１の部材から分離するための工具挿入用の切り欠きが設けられているので、前記切り欠きに工具を差し込み、前記切り欠きを広げるように力を加えるだけで、第１の部材から容易に分離することができる中間保持部材を提供することができる。
【００３３】
請求項１３に記載の発明によれば、第１の部材に取り付けられる第１の固定部に、前記第１の部材から分離するための工具挿入用の穴が設けられているので、前記穴に、棒状の工具を差し込み、工具を穴の奥に挿入するだけで、第1の部材から容易に分離することができる中間保持部材を提供することができる。
【発明を実施するための最良の形態】
【００３４】
（第１の実施形態）
以下、本発明の第１の実施形態にかかる画像形成装置、画像読み取りユニット及び固定構造を、図１ないし図７に基づいて説明する。
【００３５】
画像形成装置１は、図１に示すように、装置本体２と、自動原稿送り装置３と、画像読み取りユニット４と、給紙ユニット５と、書込ユニット６とを備えている。
【００３６】
装置本体２は、例えば、箱状に形成され、フロア上などに設置される。装置本体２は、画像読み取りユニット４と、給紙ユニット５と、書込ユニット６と、を収容している。
【００３７】
自動原稿送り装置３は、装置本体２の上部に取り付けられている。自動原稿送り装置３は、原稿載置板７と、ベルト送り装置８とを備えている。原稿載置板７は、平板状に形成され、装置本体２の上部に取り付けられているとともに、表面上に複数枚の原稿９が載置される。ベルト送り装置８は、原稿載置板７上の原稿９を一枚ずつ後述するコンタクトガラス１０上に送り出すとともに、後述のレンズブロック１６により反射像が読み取られた原稿９をコンタクトガラス１０上から装置本体２外に排出する。
【００３８】
画像読み取りユニット４は、装置本体２の上部でかつ前述した自動原稿送り装置３の下方に設けられ、原稿９を載置するコンタクトガラス１０と光学走査系１１とを備えている。コンタクトガラス１０は、両表面が水平方向と平行な状態で、装置本体２の上面に取り付けられている。光学走査系１１は、露光ランプ１２、第１ミラー１３、第２ミラー１４、第３ミラー１５及びレンズブロック１６などを備え、原稿９に光を照射して、該原稿９からの反射像を後述のライン型光電変換素子４２で光電変換する。
【００３９】
露光ランプ１２は、コンタクトガラス１０上の原稿９に光を照射する。第１ミラー１３、第２ミラー１４及び第３ミラー１５は、原稿９からの反射像をレンズブロック１６に導く。露光ランプ１２および第１ミラー１３は、図示しない第１キャリッジ上に固定され、第２ミラー１４および第３ミラー１５は、図示しない第２キャリッジ上に固定されている。原稿９を読み取る際には、光路長が変化しないように第１キャリッジと第２キャリッジとは２対１の相対速度で機械的に移動される。この光学走査系１１の前述した第１キャリッジと第２キャリッジとは、図示しないスキャナ駆動モータによって移動される。
【００４０】
レンズブロック１６は、結像レンズ系３１と、イメージセンサ３２などを備えている。なお、このレンズブロック１６の詳細な構成は、後ほど説明する。レンズブロック１６は、前述した原稿９の反射像をイメージセンサ３２によって読み取り（光電変換させ）、光信号から電気信号に変換して処理する。変換された電気信号は、図示しない画像処理部に向かって出力する。結像レンズ系３１およびイメージセンサ３２を図１において左右方向（水平方向）に移動させると画像倍率を変化させることができる。すなわち、指定された倍率に対応して結像レンズ系３１およびイメージセンサ３２の図１における左右方向の位置が設定される。
【００４１】
給紙ユニット５は、装置本体２の下部に設けられた複数の転写紙収容部１９と、転写紙送り出しユニット２０と、を備えている。転写紙収容部１９は、複数の転写紙２１を収容する。転写紙送り出しユニット２０は、転写紙収容部１９内の転写紙２１を、後述するレジストローラ２５間に送り出す。給紙ユニット５は、転写紙収容部１９内の転写紙２１を一枚ずつレジストローラ２５間即ち書込ユニット６に向けて送り出す。
【００４２】
書込ユニット６は、レーザ出力ユニット２２と、結像レンズ２３と、ミラー２４と、レジストローラ２５と、感光体ドラム２６と、現像装置２７と、転写部材２８と、定着装置２９とを備えている。
【００４３】
レーザ出力ユニット２２の内部には、レーザ光源であるレーザダイオードおよびモータによって高速で定速回転するポリゴンミラーが設けられている。レーザ出力ユニット２２から照射されるレーザ光は、前記定速回転するポリゴンミラーによって偏向され、結像レンズ２３を通ってミラー２４で折り返され、感光体ドラム２６の外周面上に集光されて結像する。偏向されたレーザ光は、感光体ドラム２６が回転する方向と直交する所謂主走査方向に露光走査され、図示しない画像処理部から出力された画像信号のライン単位の記録を行う。そして、書込ユニット６は、感光体ドラム２６の回転速度と記録密度に対応した所定の周期で主走査を繰り返すことによって感光体ドラム２６の外周面上に画像、すなわち静電潜像を形成する。
【００４４】
このように書込ユニット６から出力されるレーザ光が、画像作像系の感光体ドラム２６に照射されるが、感光体ドラム２６の一端近傍のレーザ光の照射位置に主走査同期信号を発生する図示しないビームセンサが配されている。このビームセンサから出力される主走査同期信号に基づいて主走査方向の画像記録タイミングの制御、および後述する画像信号の入出力用の制御信号の生成が行われる。
【００４５】
レジストローラ２５は、転写紙送り出しユニット２０により転写紙収容部１９から送り出されてきた転写紙２１を転写部材２８と感光体ドラム２６との間に送り出す。感光体ドラム２６は、軸芯を中心として回転自在な円柱状又は円筒状に形成されている。感光体ドラム２６は、レーザ出力ユニット２２により形成され且つ担持する静電潜像にトナーが付着して現像し、こうして得られたトナー像を転写部材２８との間に位置付けられた転写紙２１に転写する。
【００４６】
現像装置２７は、トナーを感光体ドラム２６の外周面に付着させて、該感光体ドラム２６の外周面上の静電潜像を現像する。転写部材２８は、転写紙２１を感光体ドラム２６の外周面に押し付けて、感光体ドラム２６の外周面上のトナーを転写紙２１に転写するとともに、該転写紙２１を定着装置２９に向けて送り出す。定着装置２９は、感光体ドラム２６などに形成されたトナー像を転写紙２１に定着させ、転写紙２１を装置本体２外に排出する。
【００４７】
前述した画像形成装置１は、自動原稿送り装置３が、原稿９を画像読み取りユニット４のコンタクトガラス１０上に自動的に給送し、読み取りが終了した原稿９を自動的に排出する。画像形成装置１は、画像読み取りユニット４が、コンタクトガラス１０上にセットされた原稿９に光を照射し、この原稿９からの反射像を後述する光電変換素子としてのライン型光電変換素子４２によって読み取る。
【００４８】
画像形成装置１は、書込ユニット６が、画像読み取りユニット４が光電変換した原稿９からの搬送層の画像信号に基づいて、感光体ドラム２６上に画像を形成し、給紙ユニット５から給紙された転写紙２１上に画像を転写して定着する。画像形成装置１は、定着が完了した転写紙２１を装置本体２外に排出する。
【００４９】
レンズブロック１６は、図２及び図３に示すように、第１の部材としてのベース部材３０と、結像レンズ系３１と、イメージセンサ３２と、複数の中間保持部材３３とを備えている。
【００５０】
ベース部材３０は、平面形状が矩形状でかつ両表面が水平方向と平行な状態で配される平板部３４と、この平板部３４から立設した立設部３５と、を備えている。平板部３４即ちベース部材３０は、図１中の左右方向に沿って、移動自在に設けられる。なお、平板部３４の長手方向は、前述した図１中の左右方向と平行となる。
【００５１】
立設部３５は、平板部３４の図１中の左右方向の一方の端即ち長手方向の一方の端から立設している。立設部３５は、平板部３４の幅方向の両端から立設した一対の立設柱３６と、これらの立設柱３６の平板部３４から離れた側の端部同士を連結した連結柱３７と、を備えて、枠状に形成されている。
【００５２】
結像レンズ系３１は、二つの光学ユニット３８を備えている。光学ユニット３８は、レンズ鏡筒３９と、このレンズ鏡筒３９内に収容されるレンズ群４０とを備えている。レンズ鏡筒３９は、円筒状に形成されている。レンズ群４０は、少なくとも一つが、レンズ鏡筒３９内に圧入されている。レンズ鏡筒３９即ち光学ユニット３８は、ベース部材３０の平板部３４に中間保持部材３３を介して取り付けられている。
【００５３】
また、二つの光学ユニット３８は、互いに光軸が同一直線上に位置するように配されている。前述した構成の結像レンズ系３１は、原稿９からの反射像をイメージセンサ３２のライン型光電変換素子４２に結像させる。
【００５４】
イメージセンサ３２は、第２の部材としてのパッケージ４１と、光電変換素子としてのライン型光電変換素子４２とを備えている。パッケージ４１は、例えば、セラミックスからなるベース４３と、セラミックスからなるウインドフレーム４４と、封止ガラス４５とを備えている。ベース４３は、平板状に形成されており、表面上にライン型光電変換素子４２が取り付けられる。ウインドフレーム４４は、枠状に形成されており、ベース４３の外縁部に重ねられた格好で該ベース４３に接着剤で固定される。封止ガラス４５は、平板状に形成され、かつ外縁部がウインドフレーム４４に重ねられた格好で、該ウインドフレーム４４に接着剤で固定される。前述したパッケージ４１は、ベース４３とウインドフレーム４４と封止ガラス４５とで、ライン型光電変換素子４２を覆う。また、パッケージ４１は、印刷配線板４６などに取り付けられる。
【００５５】
ライン型光電変換素子４２は、光電変換素子であるＰＤ（Ｐｈｏｔｏ  Ｄｉｏｄｅ）と電荷搬送素子であるＣＣＤ（Ｃｈａｒｇｅ  Ｃｏｕｐｌｅｄ  Ｄｅｖｉｃｅ）が直線上に並べられて構成されている。ライン型光電変換素子４２の長手方向は、主走査方向と平行になる。
【００５６】
また、前述したイメージセンサ３２は、印刷配線板４６の導体パターンと、前述したライン型光電変換素子４２の電極などとを互いに電気的に接続するためのパッケージ４１に設けられた電極やリード線などを備えている。さらに、前述したイメージセンサ３２は、封止ガラス４５が立設部３５の内側を通して、結像レンズ系３１と相対する状態で、中間保持部材３３を介して、ベース部材３０の立設部３５に取り付けられている。
【００５７】
中間保持部材３３は、例えば、透明の光を透過する合成樹脂からなり、図６に示すように、第１の固定部３３１と、第２の固定部３３２とを一体に備えている。第１の固定部３３１と第２の固定部３３２は、それぞれ、平板状に形成されている。第１の固定部３３１の縁から第２の固定部３３２が立設している。第１の固定部３３１と第２の固定部３３２とのなす角度は、図示例では、９０度となっている。
【００５８】
中間保持部材３３は、第１の固定部３３１がベース部材３０に重ねられ、第２の固定部３３２がレンズ鏡筒３９及びイメージセンサ３２のパッケージ４１に重ねられ、固定部３３１，３３２とベース部材３０、レンズ鏡筒３９及びイメージセンサ３２のパッケージ４１との間に例えば紫外線などの光が照射されると硬化する光硬化型の接着剤が充填されて、ベース部材３０にレンズ鏡筒３９即ち結像レンズ系３１及びパッケージ４１即ちイメージセンサ３２を取り付ける。ベース部材３０に取り付けられると、結像レンズ系３１とイメージセンサ３２の光軸Ｏ（図２中に一点鎖線で示す）は、同一線上に位置する。
【００５９】
前述したベース部材３０と、パッケージ４１と、中間保持部材３３とで本発明の固定構造１００をなしている。すなわち、画像形成装置１、画像読み取りユニット４及びレンズブロック１６は、固定構造１００を備えている。また、以下、ベース部材３０の中間保持部材３３の第１の固定部３３１が取付けられる箇所を取付部と呼び、符合４７（図５に示す）で示す。パッケージ４１の中間保持部材３３の第２の固定部３３２が取付けられる箇所を取付部と呼び、符合４８で示す。
【００６０】
次に、本発明の固定構造１００についてさらに詳しく説明する。図４は、固定構造１００を示す斜視図である。図５は固定構造１００のベース部材３０の斜視図であり、図６は固定構造１００の中間保持部材３３の斜視図である。
【００６１】
固定構造１００では、図４に示すように、立設部３５の取付部４７と中間保持部材３３の第１の固定部３３１とが前述した光硬化型の接着剤で固定されている。また、パッケージ４１の取付部４８と中間保持部材３３の第２の固定部３３２とが前述した光硬化型の接着剤で固定されている。第１の固定部３３１には、切り欠き３３ａが設けられている。この切り欠き３３ａは、図６に示すように、第１の固定部３３１の取付部４７に重なる当接面から凹に形成され、かつ第１の固定部３３１即ち中間保持部材３３の外表面としての上面３３３に開口している。
【００６２】
また、切り欠き３３ａ内には、前記上面３３３の開口部分から、後述の工具５０が差し込まれる。なお、図示例では、切り欠き３３ａの平面形状は、矩形状であるが、本発明では切り欠き３３ａの形状は矩形に限定されず、上面３３３と取付部４７との当接面との双方に開口した凹みであれば良い。
【００６３】
切り欠き３３ａは、前述した接着剤が充填されてなく、該接着剤でふさがれていない。切り欠き３３ａにより、中間保持部材３３の第１の固定部３３１とベース部材３０の取付部４７との間に隙間が生じている。該切り欠き３３ａ内には、中間保持部材３３とベース部材３０とを分離するための後述する工具５０の先端が侵入可能である。即ち、切り欠き３３ａは、前述した工具５０挿入用の切り欠き（隙間）である。
【００６４】
続いて、図７を用いて、上述した第１の部材としてのベース部材３０と、第２の部材としてのパッケージ４１即ちイメージセンサ３２とを分離する方法を説明する。ベース部材３０とパッケージ４１とを分離するには、以下に示すように、ベース部材３０から中間保持部材３３を分離する。
【００６５】
まず、ベース部材３０とイメージセンサ３２とを固定している中間保持部材３３に設けられた切り欠き３３ａの上面３３３の開口部分から、マイナスドライバー状の工具５０の先端を挿入する（差し込む）。そして、工具５０の基端がベース部材３０又は中間保持部材３３に近づくように、図７中の矢印で示す方向に工具５０を倒す。つまり、工具５０で、切り欠き３３ａを広げるように、ベース部材３０及び中間保持部材３３を押圧する。すると、ベース部材３０とパッケージ４１とを容易に分離できる。前述した工具５０は、少なくとも先端などの一部が中間保持部材３３とベース部材３０のうち少なくとも一方に設けられた切り欠き３３ａ，３５ａ内に挿入可能で、かつ該少なくとも一部が切り欠き３３ａ，３５ａ内に挿入されると前記ベース部材３０とパッケージ４１とが分離されることが可能である。
【００６６】
このように第１の実施形態では、中間保持部材３３の第１の固定部３３１に、第１の部材としてのベース部材３０と第２の部材としてのパッケージ４１とを分離させるための切り欠き３３ａを設けている。このため、工具５０を切り欠き３３ａに差し込んで力を加えるだけで、容易にベース部材３０とパッケージ４１とを分離できる。切り欠き３３ａは、ベース部材３０の取付部４７に設けることも考えられるが、中間保持部材３３に設ければ全体として安いコストで、分離が容易な固定構造１００を提供することができる。
【００６７】
（第２の実施形態）
次に、本発明の第２の実施形態にかかる固定構造を、図８ないし図１１に基づいて説明する。なお、前述した第１の実施形態と同一構成部分には、同一符号を付して説明を省略する。図８は、第２の実施形態における固定構造１００の斜視図である。図９は固定構造１００の前記ベース部材３０の斜視図であり、図１０は固定構造１００の前記中間保持部材３３の斜視図である。
【００６８】
前述した第１の実施形態では、中間保持部材３３に該中間保持部材３３をベース部材３０から分離するための切り欠き３３ａを設けていたが、第２の実施形態では、図８及び図９に示すように、ベース部材３０の取付部４７に切り欠き３５ａを設けている。この場合も、切り欠き３５ａは、取付部４７の中間保持部材３３の第１の固定部３３１が重なる当接面と、ベース部材３０の外表面としての連結柱３７の上面３７ａとの双方に開口した凹みであれば良い。
【００６９】
切り欠き３５ａは、前述した接着剤が充填されてなく、該接着剤でふさがれていない。切り欠き３５ａにより、中間保持部材３３の第１の固定部３３１とベース部材３０の取付部４７との間に隙間が生じている。該切り欠き３５ａ内には、中間保持部材３３とベース部材３０とを分離するための後述する工具５０の先端が侵入可能である。即ち、切り欠き３５ａは、前述した工具５０挿入用の切り欠き（隙間）である。
【００７０】
さらに、第２の実施形態においても、中間保持部材３３に切り欠き３３ａを設けた場合と同様に、前述した第１の実施形態でも用いられたマイナスドライバー状の工具５０の先端を切り欠き３５ａに挿入し（差し込み）、工具５０の基端がベース部材３０又は中間保持部材３３に近づくように、図１１中の矢印で示す方向に工具５０を倒す。つまり、工具５０で、切り欠き３５ａを広げるように、ベース部材３０及び中間保持部材３３を押圧することにより、ベース部材３０とパッケージ４１とを容易に分離できる。
【００７１】
このように第２の実施形態では、第１の部材としてのベース部材３０に、第１の部材としてのベース部材３０と第２の部材としてのパッケージ４１とを分離させるための切り欠き３５ａを設けている。このため、工具５０を切り欠き３５ａに差し込んで力を加えるだけで、容易にベース部材３０とパッケージ４１とを分離できる。また、中間保持部材３３が小さくて切り欠き加工を施せない場合にも、容易にベース部材３０に切り欠き３５ａを設けることができ、分離が容易な固定構造１００を提供することができる。
【００７２】
（第３の実施形態）
次に、本発明の第３の実施形態にかかる固定構造を、図１２ないし図１５に基づいて説明する。なお、前述した第１及び第２の実施形態と同一構成部分には、同一符号を付して説明を省略する。図１２は、第３の実施形態における固定構造１００の斜視図である。図１３は固定構造１００の前記ベース部材３０の斜視図であり、図１４は固定構造１００の前記中間保持部材３３の斜視図である。
【００７３】
前述した第１及び第２の実施形態では、中間保持部材３３又はベース部材３０にこれらを分離させるための切り欠き３３ａ，３５ａを設けていたが、第３の実施形態では、図１２及び図１４に示すように、中間保持部材３３の第１の固定部３３１に穴３３ｂを設けている。図示例では、穴３３ｂの平面形状は、円形に形成されているが、本発明の穴３３ｂは、中間保持部材３３の第１の固定部３３１を貫通した穴であれば良い。
【００７４】
穴３３ｂは、前述した接着剤が充填されてなく、該接着剤でふさがれていない。穴３３ｂ内には、中間保持部材３３とベース部材３０とを分離するための後述する工具５１の棒状部５１ａの先端が侵入可能である。即ち、穴３３ｂは、前述した工具５１挿入用の穴である。
【００７５】
続いて、図１５を用いて、本実施形態にかかる固定構造１００の上述した第１の部材としてのベース部材３０と、第２の部材としてのパッケージ４１即ちイメージセンサ３２とを分離する方法を説明する。第３の実施形態では、図１５に示す工具５１を用いてベース部材３０とパッケージ４１とを分離する。工具５１は、互いの間に部材を挟んで固定するための一対の把持部５１ｂを有したコ字状部５１ｃと、コ字状部５１ｃの一対の把持部５１ｂ間の中心位置に設けられた棒状部５１ａとを備えている。棒状部５１ａは、コ字状部５１ｃに対しその長手方向に沿って移動自在に支持されている。
【００７６】
ベース部材３０とパッケージ４１とを分離するには、図１５に示すように、一対の把持部５１ｂで中間保持部材３３の第１の固定部３３１の両端を固定し、さらに、中間保持部材３３に設けられた穴３３ｂ内に棒状部５１ａを挿入し（差し込み）、該棒状部５１ａをベース部材３０の取付部４７に押し当てる。そして、棒状部５１ａを穴３３ｂの奥に挿入して、該棒状部５１ａでベース部材３０を押圧する。すると、ベース部材３０とパッケージ４１とを容易に分離できる。前述した工具５１は、少なくとも棒状部５１ａの先端などの一部がベース部材３０と中間保持部材３３のうち一方に設けられた穴３３ｂ内に挿入可能で、かつ該少なくとも一部が穴３３ｂ内に挿入されると、他方を押圧可能で、該他方を押圧することにより、前記ベース部材３０とパッケージ４１とを分離させることが可能である。
【００７７】
このように第３の実施形態では、中間保持部材３３の第１の固定部３３１に、第１の部材としてのベース部材３０と第２の部材としてのパッケージ４１とを分離させるための穴３３ｂを設けている。このため、工具５１の一対の把持部５１ｂで中間保持部材３３の両脇を例えば掴んで、該中間保持部材３３の移動を規制し、棒状部５１ａを穴３３ｂに差し込んでベース部材３０に押圧することにより、容易にベース部材３０とパッケージ４１とを分離できる。穴３３ｂはベース部材３０の取付部４７に設けることも考えられるが、中間保持部材３３に設ければ全体として安いコストで、分離が容易な固定構造１００を提供することができる。
【００７８】
また、前述した第１及び第２の実施形態では、ベース部材３０と中間保持部材３３のどちらか一方に切り欠き３５ａ，３３ａを設けていたが、本発明では、図１６に示すように、ベース部材３０と中間保持部材３３の両方に切り欠き３５ａ，３３ａを設けても良い。なお、図１６では、前述した実施形態と同一部分には同一符号を付して説明を省略する。
【００７９】
また、前述した第３の実施形態では、穴３３ｂを中間保持部材３３に設けていたが、本発明では、図１７に示すように、穴３５ｂをベース部材３０に設けても良い。なお、図１７では、前述した実施形態と同一部分には同一符号を付して説明を省略する。
【００８０】
図１７に示す場合では、ベース部材３０から中間保持部材３３を分離する際に、ベース部材３０を例えば掴んで該ベース部材３０の移動を規制して、穴３５ｂ内に棒状の工具５２を挿入する。そして、棒状の工具５２で中間保持部材３３を押圧して、ベース部材３０とパッケージ４１とを分離する。前述した工具５２は、少なくとも先端などの一部がベース部材３０と中間保持部材３３のうち一方に設けられた穴３５ｂ内に挿入可能で、かつ該少なくとも一部が穴３５ｂ内に挿入されると、他方を押圧可能で、前記ベース部材３０とパッケージ４１とを分離させることが可能である。
【００８１】
このように、本発明の要旨は、二つの部材が互いに接着剤で取り付けられている固定構造１００，１００’において、これらの部材同士の当接面に、工具５０，５１，５２の少なくとも一部が挿入可能な隙間を形成することで、これらの部材を容易に分離可能とすることである。このため、本発明では、切り欠き３３ａ，３５ａは、必ずしも平面形状が矩形状でなくても良く、前述した当接面から凹でかつ中間保持部材３３又はベース部材３０の外表面に開口して、前述した工具５０の少なくとも一部が侵入可能であれば、いかなる形状であっても良い。また、本発明では、穴３３ｂ，３５ｂは、必ずしも平面形状が円形状でなくても良く、前述した当接面に設けられかつ中間保持部材３３又はベース部材３０を貫通して、前述した工具５１，５２の少なくとも一部が侵入可能であれば、いかなる形状であっても良い。
【００８２】
さらに、工具５０は、第１及び第２の実施形態では先端がマイナスドライバー状になっているが、本発明では工具５０は必ずしもマイナスドライバー状でなくとも良い。即ち、本発明では工具５０は、切り欠き３３ａ，３５ａに挿入されて、第１の部材と中間保持部材即ち第２の部材とを分離させる役割をなすものであり、切り欠き３３ａ，３５ａ内に挿入できる形状のものであれば、その先端などが円柱状であっても良く、角柱であっても良く、先端に限らず一部がいかなる形状であっても良い。
【００８３】
同様に、工具５１は、第３の実施形態では、互いの間に部材を挟んで固定するための一対の把持部５１ｂを有したコ字状部５１ｃと、コ字状部５１ｃの一対の把持部５１ｂ間の中心位置に設けられた棒状部５１ａとを備えた形状になっているが、本発明の工具５１はこれに限らず、穴３３ｂに挿入されて、ベース部材３０を押圧して、第１の部材と中間保持部材即ち第１の部材と第２の部材とを分離させる構造を備えた工具であれば、いかなる形状であってもよい。同様に、工具５２は、棒状に形成されているが、本発明の工具５２はこれに限らず、穴３５ｂに挿入されて、中間保持部材３３を押圧して、第１の部材と中間保持部材即ち第１の部材と第２の部材とを分離させる構造を備えた工具であれば、いかなる形状であってもよい。
【００８４】
なお、本発明は上記実施例に限定されるものではない。即ち、本発明の骨子を逸脱しない範囲で種々変形して実施することができる。例えば図１８に示すように、画像形成装置１’としての周知のインクジェットプリンタの書き込みユニット６’に用いられているインクジェットヘッド３２’の固定構造１００’にも適用することができる。固定構造１００’では、第１の部材としての転写紙２１に向けてインクを射出するインクジェットヘッド３２’と、該インクジェットヘッド３２’を保持する第２の部材としてのヘッド保持部材３０’とを位置決め固定する中間保持部材３３’と、前記インクジェットヘッド３２’とのうち少なくとも一方に、図１８に示すような切り欠き３３ａ’を設けても、本発明と同じ効果が得られる。なお、図１８では、中間保持部材３３’のインクジェットヘッド３２’に取付けられる第１の固定部３３１’に切り欠き３３ａ’を設けているが、本発明は、勿論、インクジェットヘッド３２’に切り欠き３３ａ’を設けても良い。
【図面の簡単な説明】
【００８５】
【図１】本発明の第１の実施形態にかかる画像形成装置を示す説明図である。
【図２】図１に示す画像形成装置のレンズブロックを示す斜視図である。
【図３】図２に示すレンズブロックの側面図である。
【図４】図１に示された画像形成装置の固定構造を示す斜視図である。
【図５】図４に示された固定構造のベース部材の斜視図である。
【図６】図４に示された固定構造の中間保持部材の斜視図である。
【図７】図４に示された固定構造の分離方法を説明する図である。
【図８】本発明の第２の実施形態にかかる固定構造を示す斜視図である。
【図９】図８に示された固定構造のベース部材の斜視図である。
【図１０】図８に示された固定構造の中間保持部材の斜視図である。
【図１１】図８に示された固定構造の分離方法を説明する図である。
【図１２】本発明の第３の実施形態にかかる固定構造を示す斜視図である。
【図１３】図１２に示された固定構造のベース部材の斜視図である。
【図１４】図１２に示された固定構造の中間保持部材の斜視図である。
【図１５】図１２に示された固定構造の分離方法を説明する図である。
【図１６】図４に示された固定構造の変形例を示す斜視図である。
【図１７】図１２に示された固定構造の変形例を示す斜視図である。
【図１８】本発明の固定構造の変形例であるインクジェットヘッドとヘッド保持部材との固定構造を説明する図である。
【符号の説明】
【００８６】
１，１’  画像形成装置
４  画像読み取りユニット
６’  書き込みユニット
１６  レンズブロック
３０  ベース部材（第1の部材）
３０’  ヘッド保持部材（第1の部材）
３２’  インクジェットヘッド（第２の部材）
３３，３３’  中間保持部材
３３１，３３１’  第１の固定部
３３２  第２の固定部
３３ａ，３５ａ，３３ａ’  切り欠き
３３ｂ，３５ｂ  穴
４１  パッケージ（第２の部材）
４２  ライン型光電変換素子（光電変換素子）
４７，４８  取付部
５０  工具
５１  工具
５２  工具
１００，１００’  固定構造
【図１】
2006135599.tif 000003
【図２】
2006135599.tif 000004
【図３】
2006135599.tif 000005
【図４】
2006135599.tif 000006
【図５】
2006135599.tif 000007
【図６】
2006135599.tif 000008
【図７】
2006135599.tif 000009
【図８】
2006135599.tif 000010
【図９】
2006135599.tif 000011
【図１０】
2006135599.tif 000012
【図１１】
2006135599.tif 000013
【図１２】
2006135599.tif 000014
【図１３】
2006135599.tif 000015
【図１４】
2006135599.tif 000016
【図１５】
2006135599.tif 000017
【図１６】
2006135599.tif 000018
【図１７】
2006135599.tif 000019
【図１８】
2006135599.tif 000020